(57)【要約】【課題】使用する撮影レンズの種類に対して最適なサイズで動画像を記録することができる撮像装置を提供する。【解決手段】撮像装置２は、撮影レンズ３を交換可能とし、被写体像を第１アスペクト比で撮像する撮像素子４と、撮像素子４により撮像された撮影画像から、第２アスペクト比に変換した第１画像を生成するか、または第３アスペクト比に変換した第２画像を生成するかを選択し、かつ、撮影レンズ３の種類に応じて、撮影画像に付加画像を付加してアスペクト比を変換する第１変換処理、または撮影画像の一部を切り取ってアスペクト比を変換する第２変換処理を選択し、実行する変換制御部１５とを有する。【選択図】図１
2014096764.tif 000002
【特許請求の範囲】
【請求項１】
撮影レンズを交換可能とする撮像装置であって、
被写体像を第１アスペクト比で撮像する撮像素子と、
前記撮像素子により撮像された撮影画像から、第２アスペクト比に変換した第１画像を生成するか、または第３アスペクト比に変換した第２画像を生成するかを選択し、かつ、前記撮影レンズの種類に応じて、前記撮影画像に付加画像を付加してアスペクト比を変換する第１変換処理、または前記撮影画像の一部を切り取ってアスペクト比を変換する第２変換処理を選択し、実行する変換制御部と、
を有することを特徴とする撮像装置。
【請求項２】
前記変換制御部は、前記撮影レンズから送信されたレンズ情報に基づいて前記撮影レンズの種類を判断し、前記第１変換処理または前記第２変換処理を選択することを特徴とする請求項１に記載の撮像装置。
【請求項３】
前記変換制御部は、前記レンズ情報に基づいて、前記撮影レンズが全周魚眼レンズであると認識した場合には、前記第１変換処理を選択することを特徴とする請求項２に記載の撮像装置。
【請求項４】
前記変換制御部は、前記レンズ情報に基づいて、前記撮影レンズが標準レンズまたは望遠レンズであると認識した場合には、前記第２変換処理を選択することを特徴とする請求項２に記載の撮像装置。
【請求項５】
スイッチまたはタッチパネルからなる操作部を有し、
前記変換制御部は、前記操作部に対する撮影者の操作により、前記第１変換処理または前記第２変換処理を選択することを特徴とする請求項１に記載の撮像装置。
【請求項６】
表示部を有し、
前記表示部は、前記第１画像または前記第２画像を表示する、
ことを特徴とする請求項１ないし５のいずれか１項に記載の撮像装置。
【請求項７】
前記第２アスペクト比または前記第３アスペクト比のいずれかが、前記第１アスペクト比と同一である場合、
前記変換制御部は、前記第１アスペクト比と同一である方の前記第１画像または前記第２画像の生成を実行しない、
ことを特徴とする請求項１ないし６のいずれか１項に記載の撮像装置。
【請求項８】
前記撮影画像に対して前記撮影レンズの収差を補正する収差補正部を有し、
前記変換制御部は、前記収差補正部による収差の補正後に、前記第１変換処理または前記第２変換処理を実行する、
ことを特徴とする請求項１ないし７のいずれか１項に記載の撮像装置。
【請求項９】
撮影レンズと、該撮影レンズを交換可能とする撮像装置とを組み合わせた撮像システムであって、
前記撮像装置は、
被写体像を第１アスペクト比で撮像する撮像素子と、
前記撮像素子により撮像された撮影画像から、第２アスペクト比に変換した第１画像を生成するか、または第３アスペクト比に変換した第２画像を生成するかを選択し、かつ、前記撮影レンズの種類に応じて、前記撮影画像に付加画像を付加してアスペクト比を変換する第１変換処理、または前記撮影画像の一部を切り取ってアスペクト比を変換する第２変換処理を選択し、実行する変換制御部と、を有する、
ことを特徴とする撮像システム。
【請求項１０】
撮影レンズを交換可能とする撮像装置の制御方法であって、
第１アスペクト比で撮像された撮影画像から、第２アスペクト比に変換した第１画像を生成するか、または第３アスペクト比に変換した第２画像を生成するかを選択するステップと、
前記撮影レンズの種類に応じて、前記撮影画像に付加画像を付加してアスペクト比を変換する第１変換処理、または前記撮影画像の一部を切り取ってアスペクト比を変換する第２変換処理を選択し、実行するステップと、
を含むことを特徴とする制御方法。
【請求項１１】
撮影レンズを交換可能とする撮像装置の制御を情報処理部に実行させるプログラムあって、
第１アスペクト比で撮像された撮影画像から、第２アスペクト比に変換した第１画像を生成するか、または第３アスペクト比に変換した第２画像を生成するかを選択する処理と、
前記撮影レンズの種類に応じて、前記撮影画像に付加画像を付加してアスペクト比を変換する第１変換処理、または前記撮影画像の一部を切り取ってアスペクト比を変換する第２変換処理を選択し、実行する処理と、
を含む処理を実行させることを特徴とするプログラム。
【発明の詳細な説明】
【技術分野】
【０００１】
本発明は、撮像装置、撮像システム、撮像装置の制御方法およびプログラムに関する。
【背景技術】
【０００２】
従来、撮影レンズ（交換レンズ）を取り替えることにより、様々な視覚効果を持つ動画像を撮影可能とする一眼レフカメラ（撮像装置）が存在する。このような一眼レフカメラには、外部表示装置のアスペクト比に合わせて１６：９と４：３との２種類のアスペクト比で撮影できるものがある。アスペクト比１６：９の動画像は、近年普及しているフルハイビジョン規格の大型テレビでの再生に適した解像度の規格に合わせられており、一方、アスペクト比４：３の動画像は、それよりも以前のテレビでの再生の適した解像度の規格に合わせられている。これに対して、特許文献１は、すでに撮影されている映像を、異なるアスペクト比の外部表示装置で再生するために、映像信号の上下または左右に黒帯を付加することでアスペクト比の変換を行う画像データ記憶装置を開示している。さらに、特許文献２は、撮像素子のアスペクト比と外部表示装置のアスペクト比とが異なる場合に、撮影した映像信号の一部を切り取ることで、外部表示装置のアスペクト比に合わせた映像信号を出力する画像出力装置を開示している。
【先行技術文献】
【特許文献】
【０００３】
【特許文献１】特開２００７−１８０７３９号公報
【特許文献２】特開２００７−３３６５１５号公報
【発明の概要】
【発明が解決しようとする課題】
【０００４】
しかしながら、特許文献１または２に示す技術を一眼レフカメラに適用する場合、撮像素子のアスペクト比と、記録される動画像のアスペクト比とが異なるときは、撮影された動画像に対して一律に上下または左右を切り取ることになる。したがって、使用する撮影レンズによっては、その効果を十分に引き出せない場合がある。例えば、全周魚眼レンズでアスペクト比１６：９の動画像を撮影すると、画面の上下が切り取られるため、全周魚眼レンズの撮影範囲も切り取られることになる。一方、全周魚眼レンズでアスペクト比４：３の動画像を撮影すると、撮影範囲は切り取られない。しかしながら、アスペクト比４：３の動画像の規格は、アスペクト比１６：９の動画像の規格に比べて解像度が低い規格であるため、フルハイビジョン規格の大型テレビでの鑑賞には向かない。特許文献１に示す技術は、すでに撮影された静止画像から動画像への変換に関するものであり、撮影レンズによらずに一律に黒帯を付加する。このとき、撮影レンズが標準レンズや望遠レンズの場合では、外部表示装置の画面全体に表示するため、撮影画面の上下を切り取って１６：９としたほうが好ましい。これに対して、特許文献２では、アスペクト比の変換の際には撮影画面を一律に切り取って出力画面のアスペクト比に合わせるので、全周魚眼レンズを使用する場合には、その撮影範囲が切り取られる。
【０００５】
本発明は、このような状況を鑑みてなされたものであり、例えば、使用する撮影レンズの種類に対して最適なサイズで動画像を記録することができる撮像装置を提供することを目的とする。
【課題を解決するための手段】
【０００６】
上記課題を解決するために、本発明は、撮影レンズを交換可能とする撮像装置であって、被写体像を第１アスペクト比で撮像する撮像素子と、撮像素子により撮像された撮影画像から、第２アスペクト比に変換した第１画像を生成するか、または第３アスペクト比に変換した第２画像を生成するかを選択し、かつ、撮影レンズの種類に応じて、撮影画像に付加画像を付加してアスペクト比を変換する第１変換処理、または撮影画像の一部を切り取ってアスペクト比を変換する第２変換処理を選択し、実行する変換制御部と、を有することを特徴とする。
【発明の効果】
【０００７】
本発明によれば、例えば、使用する撮影レンズの種類に対して最適なサイズで動画像を記録することができる撮像装置を提供することができる。
【図面の簡単な説明】
【０００８】
【図１】本発明の第１実施形態に係るカメラシステム構成を示すブロック図である。
【図２】第１実施形態におけるアスペクト比変換処理を示すフローチャートである。
【図３】全周魚眼レンズを用いた場合の動画像を示す図である。
【図４】望遠レンズを用いた場合の動画像を示す図である。
【図５】第２実施形態におけるアスペクト比変換処理を示すフローチャートである。
【図６】本発明の第３実施形態に係るカメラシステム構成を示すブロック図である。
【図７】第３実施形態におけるアスペクト比変換処理を示すフローチャートである。
【図８】第３実施形態における画像変換の第１例を示す図である。
【図９】第３実施形態における画像変換の第２例を示す図である。
【図１０】第３実施形態における画像変換の第３例を示す図である。
【図１１】第３実施形態における画像変換の第４例を示す図である。
【発明を実施するための形態】
【０００９】
以下、本発明を実施するための形態について図面などを参照して説明する。
【００１０】
（第１実施形態）
まず、本発明の第１実施形態に係る撮像装置およびその制御方法について説明する。本実施形態に係る撮像装置は、一例として動画像を撮影可能とする一眼レフカメラとし、以下「カメラ本体２」と表記する。また、カメラ本体２は、撮影者の撮影目的により種々の撮影レンズ（交換レンズ）３を交換可能とする。さらに、カメラ本体２と撮影レンズ３とが組み合わされたものを撮像システムとし、以下「カメラシステム１」と表記する。図１は、本実施形態に係るカメラシステム１の構成を示すブロック図である。まず、カメラ本体２は、ＣＭＯＳセンサーなどの撮像素子４と、アナログ／ディジタル変換器（Ａ／Ｄ）５と、信号処理部６と、表示部７と、記録再生信号処理部８と、制御部９と、バッファメモリー１０と、記録部１１とを備える。撮影レンズ３を介してカメラ本体２に入射する被写体像は、撮像素子４上に結像する。撮像素子４は、この像を光電変換し、画像信号は、アナログ／ディジタル変換器（Ａ／Ｄ）５を介して映像データ（撮像データ）として信号処理部６に送信される。このとき、カメラ本体２に設置されている不図示のマイクロホンから出力された外部音声の音声信号も、信号処理部６に送信される。信号処理部６は、得られた映像データに対してガンマ補正処理およびＡＧＣ（Ａｕｔｏ  Ｇａｉｎ  Ｃｏｎｔｒｏｌ）処理などの所定の信号処理を実行するとともに、得られた音声信号に対してアナログ／ディジタル変換処理を実行する。また、信号処理部６は、映像データおよび音声データのうちの映像データをＬＣＤ（Ｌｉｑｕｉｄ  Ｃｒｙｓｔａｌ  Ｄｉｓｐｌａｙ）などからなる表示部７に送信する。表示部７は、映像データに基づく映像（すなわち、そのときの撮影映像）を表示する。さらに、信号処理部６は、併せて映像データおよび音声データを記録再生信号処理部８に送信する。記録再生信号処理部８は、制御部９からの指令に基づいて、信号処理部６から得られた映像データおよび音声データに対して変調処理、圧縮処理、および誤り訂正符号付加処理などの所定の記録信号処理を実行する。ここで形成された記録用映像データおよび記録用音声データは、データバス１２を介してバッファメモリー１０に格納される。これらの記録用映像データおよび記録用音声データは、制御部９からの指令に基づいて、データバス１２を介して記録部１１に送信され、この記録部１１にてメモリーカードなどの記録媒体１３に記録される。
【００１１】
また、カメラ本体２は、撮影者からの入力部として、スイッチ、または表示部７に組み合わされたタッチパネルなどからなる操作部１４を有する。例えば、この操作部１４にて撮影者が再生モードを選択した場合には、制御部９は、対応する記録媒体１３に記録されている記録用映像データおよび記録用音声データを再生させる。このとき、まず、再生される記録用映像データおよび記録用音声データは、バッファメモリー１０に格納される。これらの記録用映像データおよび記録用音声データは、制御部９からの指令に基づいて、データバス１２を介して記録再生信号処理部８に送信される。記録再生信号処理部８は、得られた記録用映像データおよび記録用音声データに対して誤り訂正処理、伸張処理、および復調処理などの所定の再生信号処理を実行し、ここで形成された映像データおよび音声データを信号処理部６に送信する。信号処理部６は、制御部９からの指令に基づいて、得られた映像データおよび音声データに対してＡＧＣ処理などの所定の信号処理を実行する。さらに、信号処理部６は、所定の信号処理が施された映像データを表示部７に送信するとともに、所定の信号処理が施された音声データを、カメラ本体２に設置されているスピーカーに送信する。この結果、表示部７には、映像データに基づく映像が表示され、スピーカーからは、音声データに基づく音声が出力される。
【００１２】
さらに、カメラ本体２は、アスペクト比変換制御部（以下「変換制御部」という）１５を備える。特に本実施形態では、一例として、撮像素子４のアスペクト比（第１アスペクト比）が３：２であるものと想定する。さらに、カメラ本体２は、記録する動画像の映像データのアスペクト比を１６：９（第２アスペクト比）または４：３（第３アスペクト比）から選択可能とする。まず、変換制御部１５は、カメラ側通信部１６を介して、撮影レンズ３に備えられているレンズ側通信部１７からレンズ情報を得る。また、撮影者は、操作部１４にて、記録する映像データのアスペクト比を選択する。そして、変換制御部１５は、得られたレンズ情報と、選択されたアスペクト比の情報とに基づいて信号処理部６を制御し、所定の画像を付加するアスペクト比変換、または画像の一部を切り取るアスペクト比変換のいずれかを実行する。
【００１３】
次に、カメラシステム１（撮影レンズ３を接続した状態にあるカメラ本体２）における各動作（処理）の１つとして、特にアスペクト比変換処理について説明する。図２は、本実施形態におけるアスペクト比変換処理の流れを示すフローチャートである。なお、このアスペクト比変換処理は、プログラムとしてカメラ本体２の内部メモリー（例えば制御部９内にある）に格納され、変換制御部１５や信号処理部６などの情報処理部に実行させ得る。まず、撮影者により撮影が開始され、撮像素子４から信号処理部６に映像信号が送信されると、制御部９は、アスペクト比変換処理を開始し、操作部１４により設定された記録画像のアスペクト比の情報を取得する（ステップＳ１００）。次に、変換制御部１５は、設定された記録画像のアスペクト比が１６：９または４：３のいずれであるかを判断する（ステップＳ１０１）。
【００１４】
ステップＳ１０１にてアスペクト比１６：９が選択された場合、次に、変換制御部１５は、カメラ側通信部１６を介して撮影レンズ３のレンズ側通信部１７からレンズ情報を取得する（ステップＳ１０２）。次に、変換制御部１５は、取得したレンズ情報に基づいて、撮影画像に所定の画像を付加することでアスペクト比を変換するか、または、撮影画像の上下を切り取ることでアスペクト比を変換するかを判断する（ステップＳ１０３）。このときの判断基準としては、変換制御部１５は、例えば、レンズ情報から撮影レンズ３が全周魚眼レンズであると認識している場合には、撮影レンズ３の撮影可能範囲を維持するために、撮影画像に所定の画像を付加することを選択することが望ましい。なお、全天（全視野約１８０度）を、ある大きさの像円内に写し込むことができるレンズを魚眼レンズといい、この像円が撮影画面の短辺に収まるレンズを全周魚眼レンズという。また、全周魚眼レンズを円周魚眼レンズとも呼ぶ。これに対して、変換制御部１５は、例えば、レンズ情報から撮影レンズ３が標準レンズや望遠レンズであると認識している場合には、表示部７全体に画像を表示させることができるようにするために、画像の上下を切り取ることを選択することが望ましい。ただし、ここでの判断基準については、撮影者が、自身の趣向に合わせて操作部１４にて操作することで、適宜設定することが可能である。
【００１５】
次に、変換制御部１５は、ステップＳ１０３にて所定の画像を付加し得る（画像付加対応）と判定した場合（ＹＥＳ）、以下の処理を信号処理部６に実行させる。すなわち、信号処理部６は、アスペクト比３：２の映像信号に対して、撮影画像の左右に所定の映像（付加画像）を付加し、アスペクト比１６：９の映像に変換する（第１変換処理：ステップＳ１０４）。一方、変換制御部１５は、ステップＳ１０３にて所定の画像を付加し得えないと判定した場合（ＮＯ）、以下の処理を実行させる。すなわち、信号処理部６は、アスペクト比３：２の映像信号に対して、撮影画像の上下をカットし、アスペクト比１６：９の映像に変換する（第２変換処理：ステップＳ１０５）。次に、信号処理部６は、アスペクト比が変換された映像信号を表示部７に送信する。そして、表示部７は、変換後の画像（第１画像）を表示させる（ステップＳ１１０）。次に、信号処理部６は、変換後の映像信号および音声信号に対して、変調処理、圧縮処理、および誤り訂正符号付加処理などの所定の記録信号処理を実行する（ステップＳ１１１）。そして、制御部９は、ここで形成された記録用映像データおよび記録用音声データを、データバス１２を介してバッファメモリー１０に格納し、上記のように、記録部１１にてメモリーカードなどの記録媒体１３に記録させる（ステップＳ１１２）。
【００１６】
図３は、本実施形態における動画像の第１例として、撮影レンズ３として全周魚眼レンズを用いた場合の動画像を示す概略図である。特に、図３（ａ）は、この場合の撮影画面を示す図である。全周魚眼レンズの撮影範囲２０は、円形であり、その直径は、撮影画面全体２１の短辺と同一である。図３（ｂ）は、参考として従来の方法により図３（ａ）に示す状態からアスペクト比１６：９の動画像を生成した場合を示す図である。従来の方法では、撮影画面の上下が切り取られるため、この場合の撮影画面２２は、撮影範囲２０の円形の上下が欠けた不自然な形になる。これに対して、図３（ｃ）は、本実施形態の方法により図３（ａ）に示す状態からアスペクト比１６：９の動画像を生成した場合を示す図である。本実施形態によれば、動画像の左右に黒帯（付加画像）２３を付加することで、全周魚眼レンズの撮影範囲２０を維持したアスペクト比１６：９の動画像２４を生成することができる。
【００１７】
図４は、本実施形態における動画像の第２例として、撮影レンズ３として望遠レンズを用いた場合の動画像を示す概略図である。特に、図４（ａ）は、この場合の撮影画面を示す図である。図４（ｂ）は、本実施形態の方法により図４（ａ）に示す状態からアスペクト比１６：９の動画像を生成した場合を示す図である。本実施形態によれば、図４（ａ）に示す撮影範囲３０の上下を切り取り範囲３１で切り取るので、表示部７全体にアスペクト比１６：９の動画像３２を表示（生成）することができる。
【００１８】
一方、ステップＳ１０１にてアスペクト比４：３が選択された場合、次に、変換制御部１５は、カメラ側通信部１６を介して撮影レンズ３のレンズ側通信部１７からレンズ情報を取得する（ステップＳ１０６）。次に、変換制御部１５は、取得したレンズ情報に基づいて、撮影画像に所定の画像を付加することでアスペクト比を変換するか、または、撮影画像の上下を切り取ることでアスペクト比を変換するかを判断する（ステップＳ１０７）。このときの判断基準については、ステップＳ１０３での説明で述べた内容と同一である。次に、変換制御部１５は、ステップＳ１０７にて所定の画像を付加し得ると判定した場合（ＹＥＳ）、以下の処理を信号処理部６に実行させる。すなわち、信号処理部６は、アスペクト比３：２の映像信号に対して、撮影画像の上下に所定の映像を付加し、アスペクト比４：３の映像に変換する（第１変換処理：ステップＳ１０８）。一方、変換制御部１５は、ステップＳ１０７にて所定の画像を付加し得えないと判定した場合（ＮＯ）、以下の処理を実行させる。すなわち、信号処理部６は、アスペクト比３：２の映像信号に対して、撮影画像の左右を切り取り、アスペクト比４：３の映像に変換する（第２変換処理：ステップＳ１０９）。そして、ステップＳ１０８またはＳ１０９のいずれかが終了した後、変換後の動画像を第２画像として、一連の処理は、上述のステップＳ１１０に移行する。
【００１９】
このように、カメラ本体２（カメラシステム１）は、撮影画像を記録する前に、動画像を記録する際のアスペクト比、すなわち記録サイズを認識し、かつ、撮影レンズ３の種類に合わせてその記録サイズに最適となるアスペクト比変換を行い、動画像を記録する。したがって、例えば、撮影レンズ３として全周魚眼レンズを使用する場合には、その撮影範囲の一部が一律に切り取られてしまうことを記録前に抑止することができる。さらに、例えば、撮影レンズ３として標準レンズや望遠レンズを使用する場合には、撮影範囲の一部に一律に黒帯を付加するのではなく、一部を切り取る選択も取ることができる。これにより、動画像を、例えばフルハイビジョン規格の大型テレビで鑑賞するに適したものとして記録させることができる。
【００２０】
以上のように、本実施形態によれば、例えば、使用する撮影レンズの種類に対して最適なサイズで動画像を記録することができる撮像装置、撮像システム、撮像装置の制御方法およびプログラムを提供することができる。
【００２１】
（第２実施形態）
次に、本発明の第２実施形態に係る撮像装置およびその制御方法について説明する。第１実施形態では、撮像素子４のアスペクト比を３：２とし、記録する動画像の映像信号のアスペクト比を１６：９または４：３から選択可能としていた。これに対して、本実施形態では、撮像素子４のアスペクト比を４：３に想定している。図５は、第１実施形態に係る図２に対応した、本実施形態におけるアスペクト比変換処理の流れを示すフローチャートである。図５において、図２に示すステップと同一ステップについては同一の符号を付し、説明を省略する。ここで、本実施形態におけるアスペクト比変換処理のうち、第１実施形態の場合と異なる工程は、第１実施形態（図２）のステップＳ１０１に対応したステップＳ１０１ａのみである。すなわち、ステップＳ１０１ａにて、記録する動画像の映像信号のアスペクト比４：３が選択された場合には、アスペクト比が撮像素子４と一致しているので、変換制御部１５は、アスペクト比の変換を実行する必要がなく、そのままステップＳ１１０に移行する。本実施形態によれば、第１実施形態と同様の効果を奏するとともに、撮像素子４のアスペクト比と、記録する動画像の映像信号のアスペクト比のいずれかとが一致していれば、アスペクト比変換処理を短縮化することができる。
【００２２】
（第３実施形態）
次に、本発明の第３実施形態に係る撮像装置およびその制御方法について説明する。本実施形態に係る撮像装置などの特徴は、第１実施形態におけるアスペクト比変換処理に、さらに撮影レンズ３に起因した収差の補正処理を実行するステップを含む点にある。図６は、第１実施形態に係る図１に対応した、本実施形態に係るカメラシステム４０の構成を示すブロック図である。なお、図６において、第１実施形態に係る図１に示す構成と同一構成のものには同一の符号を付し、説明を省略する。このカメラシステム４０におけるカメラ本体４１は、第１実施形態に係るカメラ本体２の構成に加えて、さらに、撮影画像に対して撮影レンズ３の収差補正を実行する収差補正部４２を含む。以下、図７を用いて、収差補正部４２による収差補正処理を加えた本実施形態におけるアスペクト比変換処理の流れについて説明する。なお、本実施形態においても、第１実施形態と同様に、撮像素子４がアスペクト比３：２であるものと想定し、カメラ本体４１は、記録する動画像の映像データのアスペクト比を１６：９または４：３から選択可能とする。
【００２３】
図７は、第１実施形態に係る図２に対応した、本実施形態におけるアスペクト比変換処理の流れを示すフローチャートである。図７において、図２に示すステップと同一ステップについては同一の符号を付し、説明を省略する。まず、ステップＳ１０１にて、記録する動画像の映像信号のアスペクト比１６：９が選択される場合の流れについては、ステップＳ１００〜Ｓ１０２までは同一である。ただし、ステップＳ１０２では、変換制御部１５が撮影レンズ３のレンズ情報を取得するのと同様に、収差補正部４２もレンズ情報を取得する。次に、収差補正部４２は、取得したレンズ情報に基づいて、映像信号に対してレンズ収差補正処理を実行する（ステップＳ２００）。次に、変換制御部１５は、第１実施形態と同様に、撮影画像に所定の画像を付加することでアスペクト比を変換するか、または撮影画像に所定の画像を付加することなしにアスペクト比を変換するかを判断する（ステップＳ１０３ａ）。次に、変換制御部１５は、ステップＳ１０３ａにて所定の画像を付加し得る（画像付加対応）と判定した場合（ＹＥＳ）、信号処理部６は、収差補正処理後の撮影画像をアスペクト比３：２の長方形に切り取る（ステップＳ２０１）。次に、信号処理部６は、切り抜かれたアスペクト比３：２の映像信号に対して、第１実施形態と同様に撮影画像の左右に所定の映像を付加し、アスペクト比１６：９の映像に変換する（第１変換処理：ステップＳ１０４）。一方、変換制御部１５は、ステップＳ１０３ａにて所定の画像を付加し得えないと判定した場合（ＮＯ）、信号処理部６は、収差補正後の撮影画像をアスペクト比１６：９の長方形に切り抜く（第２変換処理：ステップＳ２０２）。
【００２４】
図８は、撮影レンズ３が樽型の歪曲収差を持っている場合の各ステップにおける画像変換の第１例を示す概略図である。特に、図８（ａ）は、収差補正処理前の樽型の歪曲収差を持った撮影レンズ３で撮影された撮影画像５０を示す図である。これに対して、図８（ｂ）は、ステップＳ２００にて収差補正処理が実行された後の撮影画像５１を示す図である。この図８（ｂ）では、撮影画像５１の範囲の中で、ステップＳ２０１にて切り取られ得るアスペクト比３：２の画像範囲５２と、ステップＳ２０２にて切り取られ得るアスペクト比１６：９の画像範囲５３とを示している。図８（ｃ）は、ステップＳ２０２にて画像範囲５３として切り取られた動画像５４を示す図である。アスペクト比変換されたアスペクト比１６：９の動画像５４では、樽型の歪曲収差が適切に補正されている。
【００２５】
図９は、撮影レンズ３が糸巻き型の歪曲収差を持っている場合の各工程における画像変換の第２例を示す概略図である。特に、図９（ａ）は、収差補正処理前の糸巻き型の歪曲収差を持った撮影レンズ３で撮影された撮影画像６０を示す図である。これに対して、図９（ｂ）は、ステップＳ２００にて収差補正処理が実行された後の撮影画像６１を示す図である。この図９（ｂ）では、撮影画像６１の範囲の中で、ステップＳ２０１にて切り取られ得るアスペクト比３：２の画像範囲６２と、ステップＳ２０２にて切り取られ得るアスペクト比１６：９の画像範囲６３とを示している。図９（ｃ）は、ステップＳ２０２にて画像範囲６３として切り取られた動画像６４を示す図である。アスペクト比変換されたアスペクト比１６：９の動画像６４では、糸巻き型の歪曲収差が適切に補正されている。
【００２６】
一方、ステップＳ１０１にて、記録する動画像の映像信号のアスペクト比４：３が選択された場合、ステップＳ１０６の後に、収差補正部４２は、取得したレンズ情報に基づいて、映像信号に対してレンズ収差補正処理を実行する（ステップＳ２０３）。次に、変換制御部１５は、第１実施形態と同様に、撮影画像に所定の画像を付加することでアスペクト比を変換するか、または撮影画像に所定の画像を付加することなくアスペクト比を変換するかを判断する（ステップＳ１０７ａ）。次に、変換制御部１５は、ステップＳ１０７ａにて所定の画像を付加し得ると判定した場合（ＹＥＳ）、信号処理部６は、収差補正処理後の撮影画像をアスペクト比３：２の長方形に切り取る（ステップＳ２０４）。次に、信号処理部６は、切り取られたアスペクト比３：２の映像信号に対して、第１実施形態と同様に撮影画像の上下に所定の映像を付加し、アスペクト比４：３の映像に変換する（第１変換処理：ステップＳ１０８）。一方、変換制御部１５は、ステップＳ１０７ａにて所定の画像を付加し得えないと判定した場合（ＮＯ）、信号処理部６は、収差補正後の撮影画像をアスペクト比４：３の長方形に切り抜く（第２変換処理：ステップＳ２０５）。
【００２７】
図１０は、撮影レンズ３が樽型の歪曲収差を持っている場合の各ステップにおける画像変換の第３例を示す概略図である。特に、図１０（ａ）は、収差補正処理前の樽型の歪曲収差を持った撮影レンズ３で撮影された撮影画像７０を示す図である。これに対して、図１０（ｂ）は、ステップＳ２０３にて収差補正処理が実行された後の撮影画像７１を示す図である。この図１０（ｂ）では、撮影画像７１の範囲の中で、ステップＳ２０４にて切り取られ得るアスペクト比３：２の画像範囲７２と、ステップＳ２０５にて切り取られ得るアスペクト比４：３の画像範囲７３とを示している。図１０（ｃ）は、ステップＳ２０５にて画像範囲７３として切り取られた動画像７４を示す図である。アスペクト比変換されたアスペクト比４：３の動画像７４では、樽型の歪曲収差が適切に補正されている。
【００２８】
図１１は、撮影レンズ３が糸巻き型の歪曲収差を持っている場合の各ステップにおける画像変換の第４例を示す概略図である。特に、図１１（ａ）は、収差補正処理前の糸巻き型の歪曲収差を持った撮影レンズ３で撮影された撮影画像８０を示す図である。これに対して、図１１（ｂ）は、ステップＳ２０３にて収差補正処理が実行された後の撮影画像８１を示す図である。この図１１（ｂ）では、撮影画像８１の範囲の中で、ステップＳ２０４にて切り取られ得るアスペクト比３：２の画像範囲８２と、ステップＳ２０５にて切り取られ得るアスペクト比４：３の画像範囲８３とを示している。図１１（ｃ）は、ステップＳ２０５にて画像範囲８３として切り取られた動画像８４を示す図である。アスペクト比変換されたアスペクト比４：３の動画像８４では、糸巻き型の歪曲収差が適切に補正されている。
【００２９】
このように、本実施形態によれば、第１実施形態と同様の効果を奏するとともに、アスペクト比変換の前に、撮影画像に対して撮影レンズ３に起因の収差補正処理を実行するので、記録される動画像を、収差が適切に補正されたものとし得る。
【００３０】
以上、本発明の好ましい実施形態について説明したが、本発明は、これらの実施形態に限定されず、その要旨の範囲内で種々の変形および変更が可能である。
【符号の説明】
【００３１】
２    カメラ本体
３    撮影レンズ
４    撮像素子
１５  変換制御部
【図１】
2014096764.tif 000003
【図２】
2014096764.tif 000004
【図３】
2014096764.tif 000005
【図４】
2014096764.tif 000006
【図５】
2014096764.tif 000007
【図６】
2014096764.tif 000008
【図７】
2014096764.tif 000009
【図８】
2014096764.tif 000010
【図９】
2014096764.tif 000011
【図１０】
2014096764.tif 000012
【図１１】
2014096764.tif 000013